(57)【要約】【課題】本発明は、浄水筒と共に弁体を回転せしめ、原水の流路を自由に切換えて浄水処理等を行いつつ浄化水を活性化せしめ、溶存水素を増加せしめると共に、制菌・消臭などに優れた効果を発揮せしめる水栓直結形浄水器を提供する。【解決手段】ケ−シング１に弁体１４を介して浄水筒１８が回転自在に組付けられ、該ケ−シング１には原水流入口８・浄水流出口９・原水流出口１０が形成され、弁体１４には原水流入口８と浄水筒１８を連通する第１流路２２が、浄水筒１８と浄水流出口と９を連通する第２流路２３が、原水流入口８と原水流出口１０を連通する第３流路２４が形成され、上記浄水筒１８下端には活性体２５が連通状に配設され、該活性体２５は略六角ナット状に形成された所要数のステンレス鋼製活性部材２７を柱列状に積層して構成されると共に、該各活性部材２７は水に対する活性力を生起せしめるべく加熱処理せしめられている。【選択図】図４
2014008496.tif 000002
【特許請求の範囲】
【請求項１】
水栓に取付け自在とされたケ−シングに弁体を介して濾過材充填の浄水筒が回転自在に
組付けられ、該ケ−シングの上部には原水流入口が、同下部には浄水流出口と原水流出口
とが各々形成されると共に、弁体には上記原水流入口と浄水筒上端とを連通せしめる第１
流路が、浄水筒下端と浄水流出口とを連通せしめる第２流路が、原水流入口と原水流出口
とを連通せしめる第３流路が各々形成されてなり、浄水筒を介して弁体を所定方向に回転
せしめつつ第１〜第３流路を適宜所要の原水流入口・浄水筒・浄水流出口・原水流出口に
連通して浄水せしめる水栓直結形浄水器において、上記浄水筒下端には水を活性化せしめ
る活性体が連通状に配設され、該活性体は略六角ナット状に形成された所要数のステンレ
ス鋼製活性部材を柱列状に積層して構成されると共に、該各活性部材は水に対する活性力
を生起せしめるべく所定温度に加熱処理せしめられてなることを特徴とする、水栓直結形
浄水器。
【請求項２】
上記活性部材の材質としては、オ−ステナイト系ステンレス鋼またはマルテンサイト系
ステンレス鋼であることを特徴とする、請求項１記載の水栓直結形浄水器。
【発明の詳細な説明】
【技術分野】
【０００１】
本発明は、水栓直結形浄水器に関する。
【背景技術】
【０００２】
従来より、この種の水栓直結形浄水器としては、水栓に取付け自在とされたケ−シング
に弁体を介して濾過材充填の浄水筒が回転自在に組付けられ、該ケ−シングの上部には原
水流入口が、同下部には浄水流出口と原水流出口とが各々形成されると共に、弁体には上
記原水流入口と浄水筒上端とを連通せしめる第１流路が、浄水筒下端と浄水流出口とを連
通せしめる第２流路が、原水流入口と原水流出口とを連通せしめる第３流路が各々形成さ
れてなり、浄水筒を介して弁体を所定方向に回転せしめつつ第１〜第３流路を適宜所要の
原水流入口・浄水筒・浄水流出口・原水流出口に連通して浄水せしめる水栓直結形浄水器
が知られている（特開平４−２５０８７８号公報参照）。
【０００３】
そして、上述のごとく構成された従来例において、原水を浄水処理せしめるさいには、
浄水筒を所定方向に回転して垂直状に起立保持せしめつつこれに連動して弁体を回転せし
める。そして、弁体の第１流路を介して原水流入口と浄水筒上端とを連通せしめると共に
、第２流路を介して浄水筒下端と浄水流出口とを連通せしめる。しかるのち、水栓を開栓
せしめ、原水を原水流入口より第１流路を通して浄水筒内に流入せしめ、内蔵する濾過材
でもって浄水化せしめたのち、第２流路を通して浄水流出口より外部に流出せしめるもの
である。
【０００４】
また、原水を浄水処理せしめることなく直接外部へ流出せしめるさいには、浄水筒を所
定方向に回転作動せしめつつ弁体を回転せしめる。そして、弁体の第３流路を原水流出口
に連通せしめ、原水を第３流路より原水流出口に流入せしめつつ外部に流出せしめるもの
である。
【０００５】
さらに、浄水筒内の濾過材を洗浄せしめるさいには、原水を浄水筒に逆流、即ち、浄水
筒を回転して倒立保持せしめつつこれに連動して弁体を回転せしめる。そして、弁体の第
２流路を介して原水流入口と倒立する浄水筒の上端とを連通せしめると共に、第１流路を
介して倒立する浄水筒の下端と浄水流出口とを連通せしめつつ、水栓より原水を原水流入
口より第２流路を通して倒立する浄水筒上端内に逆流状に流入せしめ、内蔵する濾過材を
洗浄せしめたのち、第１流水路を通して浄水流出口より外部に流出せしめるものである。
【先行技術文献】
【特許文献】
【０００６】
【特許文献１】特開平４−２５０８７８公報
【発明の概要】
【発明が解決しようとする課題】
【０００７】
ところで、上述のごとく構成された従来例は、浄水筒を所定方向に回転作動せしめつつ
これに連動して弁体を回転せしめ、原水の流路を自由に切換えることができるものである
。このため、単に浄水筒を回転せしめるという簡単な操作でもって原水を浄水筒内に流入
して浄水処理せしめ、また、原水を浄水筒内に逆流せしめて濾過材を洗浄せしめることが
できるのみならず、必要に応じて原水を直接外部に流出せしめることができるものである
。
しかしながら、上記従来例は、単に浄水筒を回転せしめるという簡単な操作でもって浄
水処理や洗浄処理などを容易に行うことができる反面、浄水処理せしめた浄水を活性化せ
しめる手段は講じられていないものであり、ひいては、溶存水素を増加せしめたり、ある
いは制菌・消臭などの作用効果を奏し得ないものである。
【０００８】
本発明は従来の課題を解決し、浄水器の本来の浄水処理や洗浄処理を損なうことなく浄
化水を活性化せしめ、溶存水素を増加せしめることができるのみならず、制菌・消臭などに優れた効果を発揮せしめることができる水栓直結形浄水器を提供しようとするものである。
【課題を解決するための手段】
【０００９】
上記の目的を達成するため、本発明の請求項１記載の発明は、水栓に取付け自在とされ
たケ−シングに弁体を介して濾過材充填の浄水筒が回転自在に組付けられ、該ケ−シング
の上部には原水流入口が、同下部には浄水流出口と原水流出口とが各々形成されると共に
、弁体には上記原水流入口と浄水筒上端とを連通せしめる第１流路が、浄水筒下端と浄水
流出口とを連通せしめる第２流路が、原水流入口と原水流出口とを連通せしめる第３流路
が各々形成されてなり、浄水筒を介して弁体を所定方向に回転せしめつつ第１〜第３流路
を適宜所要の原水流入口・浄水筒・浄水流出口・原水流出口に連通して浄水せしめる水栓
直結形浄水器において、上記浄水筒下端には水を活性化せしめる活性体が連通状に配設さ
れ、該活性体は略六角ナット状に形成された所要数のステンレス鋼製活性部材を柱列状に
積層して構成されると共に、該各活性部材は水に対する活性力を生起せしめるべく所定温
度に加熱処理せしめられてなることを特徴とする、水栓直結形浄水器を要旨とするもので
ある。
【００１０】
上記請求項１記載の水栓直結形浄水器において、活性体を構成する活性部材の材質はオ
−ステナイト系ステンレス鋼またはマルテンサイト系ステンレス鋼である。
【発明の効果】
【００１１】
本発明の請求項１記載の発明は、上述のように構成されているから、浄水器の本来の浄
水処理や洗浄処理を損なうことなく浄化水を活性化せしめ、常に溶存水素を増加せしめる
ことができるのみならず、制菌・消臭などに優れた作用効果を発揮せしめることができる
ものである。
【図面の簡単な説明】
【００１２】
【図１】本発明の一実施例を示す正面図である。
【図２】図１の垂直拡大断面図である。
【図３】実施例の弁体１４を示す正面図である。
【図４】実施例の活性体２６を示す斜上方側からみた分解斜視図である。
【図５】実施例の活性体２６を示す斜下方側からみた分解斜視図である。
【図６】実施例の活性部材２７を示す斜視図である。
【図７】実施例の浄水筒１８を水平状に回動せしめた状態を示す正面図である。
【図８】実施例の浄水筒１８を倒立状に回転せしめた状態を示す正面図である。
【発明を実施するための形態】
【００１３】
以下に、本発明を実施するための形態を図面に示す一実施例に基づいて説明する。
【００１４】
図１〜図８は本発明の一実施例を示すもので、同図中、１は水道水などの水栓２に取付
け自在とされた略短尺円柱状のケ−シング、３は該ケ−シング１の上面に形成された水栓
用嵌合凹部、４は該嵌合凹部３上に載置されたゴムパッキング、５は半割状の水栓用掛止
リング６を介してケ−シング１の上部に外嵌状に螺着自在とされた取付けカバ−、７は後
記する弁体１４を回転自在に嵌合せしめるべくケ−シング１の中心に横設された嵌合孔、
８は上記水栓用嵌合凹部３より該嵌合孔７に連通状に形成された原水流入口、９は該原水
流入口８に対応すべく嵌合孔７よりケ−シング１下端に連通状に形成された浄水流出口、
１０は原水流入口８に対応すべく嵌合孔７よりケ−シング１下端に連通状に形成された原
水流出口、１１はケ−シング１下端に外嵌状に螺着されたシャワ−ヘッドで、該シャワ−
ヘッド１１には浄水流出口９に連通する浄水孔１２が、同原水流出口１０に連通する散水孔１３が各々形成されている。
【００１５】
１４は自由端を外方に露出せしめるべく上記ケ−シング１の嵌合孔７に水密状に回転自
在に嵌合された略棒状の弁体、１５は該弁体１４の頭部側に取付けられた回転用位置決め
ボ−ル、１６は該位置決めボ−ル１５に対応してケ−シング１の嵌合孔７底壁に所定ピッチでもって形成された位置決め孔、１７は該弁体１４の軸線に沿ってその露出自由端側に形成された取付け孔、１８は該取付け孔１７に取付け片１９を嵌合せしめつつ止着ボルト２０を介して止着された浄水筒で、該浄水筒１８の上下端には各々流入口２１と流出口（符号略）が形成されている。２２は上記ケ−シング１の原水流入口８と浄水筒１８の流入口２１とを連通せしめるべく該弁体１４と取付け片１９の軸線方向に沿って形成された第１流路、２３は後記する活性体２６とケ−シング１の浄水流出口９とを連通せしめるべく弁体１４と取付け片１９の軸線方向に沿って形成された第２流路、２４はケ−シング１の原水流入口８と原水流出口１０とを連通せしめるべく弁体１４に形成された第３流路である。  
【００１６】
２５は上記浄水筒１８に充填された濾過材で、該濾過材２５は活性炭、セラミック、中
空糸などにより形成されている。２６は浄化水を活性化せしめるべく上記浄水筒１８の下
端に連通自在に接続された活性体で、該活性体２６は略六角ナット状に形成された所要数
の活性部材２７を通水自在な蓋２９付き収納容器２８内にＯ−リング３０を介して柱列状
に積層収納せしめることにより構成されている。そして、上記各活性部材２７の材質とし
ては、オ−ステナイト系ステンレス鋼やマルテンサイト系ステンレス鋼などのステンレス
鋼を採択使用することができ、特にＣｒ１７〜２５％、Ｎｉ８〜２０％含有するオ−ステ
ナイト系ステンレス鋼が好適である。また、活性部材２７は水に対する活性力を生起せし
めるべく９００℃〜１５００℃、好ましくは１０００℃〜１２００℃下に加熱処理を行う
。
なお、活性体２６による浄水活性化作用のメカニズムについては必ずしも解明されてい
ないが、活性処理せしめた浄水は後記する表１〜３の測定結果から明らかなように、溶存
水素を増加せしめるのみならず、制菌や消臭などに優れれた効果を発揮せしめることができる。
３１は上記浄水筒１８の上部をカバ−せしめる上部収納カバ−、３２は前記弁体１４の
第１流路２２と浄水筒１８上部の流入口２１とを連通せしめるべく該上部収納カバ−３１
内周面と浄水筒１８外周面との間に区画形成された第４流路、３３は浄水筒１８の下部および活性体２６をカバ−せしめる下部収納カバ−、３４は弁体１４の第２流路２３に活性体２６を連通せしめるべく該下部収納カバ−３３内周面と浄水筒１８下部および活性体２６の収納容器２８外周面との間に区画形成された第５流路である。
【００１７】
次に、上述のごとく構成された実施例の作動について説明する。
先ず、水栓２の口部をケ−シング１の嵌合凹部３内にゴムパッキング４を介して当てが
うと共に、半割状掛止リング６を水栓２口縁に掛止せしめつつ、ケ−シング１上端に取付
けカバ−５を螺着せしめて締結する。
しかるのち、上下部収納カバ−３１・３３を介して浄水筒１８を適宜所定方向に４５度
づつ回転せしめ、所要の位置決め孔１６に位置決めボ−ル１５を嵌合して位置決めしたの
ち、水栓２より原水を流入せしめ、浄水処理、原水流出、および洗浄処理せしめる。
【００１８】
即ち、水栓２の原水を浄水処理せしめるさいには、図１および図２に図示するように、
浄水筒１８を回転して垂直状に起立保持せしめると共に、これに連動して弁体１４を回転
作動せしめ、水栓２より原水を流入せしめる。すると、水栓２より流入する原水はケ−シ
ング１の原水流入口８より弁体１４の第１流路２２と浄水筒１８上部側の第４流路３２と
を通って流入口２１より浄水筒１８内に流入し、濾過材２５により原水に含まれる塩素や
夾雑物を除いて浄水化せしめたのち、流出口（符号なし）より収納容器２８内に流入せし
め、内蔵する活性体２６により活性化せしめて溶存水素を増加せしめるのみならず、制菌
・消臭せしめる。そして、活性化せしめた浄水は、活性体２６側の第５流路３４と弁体１４の第２流路２３を通り、ケ−シング１の浄水流出口９より外部に流出せしめる。
【００１９】
次に、活性化せしめた浄水を実施例品として経時的な溶存水素濃度テスト、制菌テスト
、及び消臭濃度テストを行い、その結果を各々表１、表２、表３に示す。なお、溶存水素
濃度テスト、消臭濃度テストについては通常の水道水を比較例品として行い、その結果を
表１、表３に併せて示す。
【００２０】
なお、上記溶存水素濃度テストは、公知の溶存水素計（ＤＨ−３５Ａ）により測定した
。制菌テストは、石灰酸素係数：供試品１０ｍｌに１０7 の菌液０．１ｍｌを接種し、２
０℃で作用させて経時的生菌数を測定した。なお、初期菌数はリン酸緩衝液（１／１５Ｍ
ｐＨ７．２）１０ｍｌに菌液０．１ｍｌ接種し菌数を測定した。  
また、消臭濃度テストは、三点比較式臭袋法による官能試験を行った。なお、比較例品として通常の養豚場の臭気濃度を１００とし、実施例品による養豚場の臭気濃度を測定した。
【００２１】
表１〜表３から明らかな通り、実施例品は比較例品に比して溶存水素が経時的に増加し
、また、制菌・消臭効果が大であることが解る。
【００２２】
【表１】
2014008496.tif 000003
【００２３】
【表２】
2014008496.tif 000004
【００２４】
【表３】
2014008496.tif 000005
【００２５】
また、原水を浄水処理や活性化処理せしめることなく外部に流出せしめるさいには、図７に図示するように、上下部収納カバ−３１・３３を介して浄水筒１８をさらに４５度回転せしめると共に、これに連動して弁体１４を回転作動せしめて位置決めボ−ル１５により水平保持せしめ、水栓２より原水を流入せしめる。すると、水栓２より流入する原水はケ−シング１の原水流入口８より弁体１４の第３流路２４を通り、ケ−シング１の原水流出口１０より外部に流出せしめられる。    
【００２６】
さらに、浄水筒１８や活性体２６を洗浄せしめるさいには、図８に図示するように、上
下部収納カバ−３１・３３を介して浄水筒１８を更に４５度回転せしめると共に、これに連動して弁体１４を回転作動せしめて位置決めボ−ル１５により倒立保持せしめ、水栓２
より原水を流入せしめる。すると、水栓２より流入する原水は、ケ−シング１の原水流入
口８より弁体１４の第２流路２３と浄水筒８下部側の第５流路３４を通って活性体２６の
収納容器２８内に逆流し、内蔵する活性体２６を洗浄せしめたのち、浄水筒１８側の流出口を通して浄水筒１８内に逆流する。そして、内蔵する濾過材２５を洗浄せしめたのち、流入口２１より浄水筒１８側の第４流路３２と弁体１４の第１流路２２を通り、ケ−シング１の浄水流出口９より外部に流出せしめる。   
【００２７】
なお、上記実施例において、浄水器を接続する水栓２は水道水の水栓のみならず、これ
らに類する他の水の水栓にも接続して使用に供することができるものである。
【符号の説明】
【００２８】
１    ケ−シング
２    水栓
８    原水流入口
９    浄水流出口
１０  原水流出口
１４  弁体
１８  浄水筒
２２  第１流路
２３  第２流路
２４  第３流路
２５  濾過材
２６  活性体
２７  活性部材
【図１】
2014008496.tif 000006
【図２】
2014008496.tif 000007
【図３】
2014008496.tif 000008
【図４】
2014008496.tif 000009
【図５】
2014008496.tif 000010
【図６】
2014008496.tif 000011
【図７】
2014008496.tif 000012
【図８】
2014008496.tif 000013